(57)【特許請求の範囲】
【請求項１】
取得した番組表の任意の番組に関するキーワードを特定して、前記キーワードによる自動予約を設定する設定部と、
前記設定部により特定されたキーワードを前記番組表の中から検索し、これに対応する番組について、週のうち複数曜日について同一時間に放送予定の番組があれば、これを帯番組と判定する帯番組判定部と、
前記設定部により特定されたキーワードを前記番組表の中から検索して前記キーワードに対応する番組、および、前記帯番組判定部が帯番組と判定した番組について、自動的に予約登録を行う自動予約部と、
を具備することを特徴とする録画予約装置。
【請求項２】
前記自動予約部は、前記番組に付随する番組情報が、話数、題名がない番組であり、同一日に同一番組名であれば、予約登録を行なわないことを特徴とする請求項１記載の録画予約装置。
【請求項３】
前記自動予約部は、前記番組に付随する番組情報が、話数、題名がない番組であり、異なる日に同一番組名であれば、予約登録を行うことを特徴とする請求項１記載の録画予約装置。
【請求項４】
前記自動予約部は、１週間のうち５回、同一時間に前記番組と一部又は全体が同一の番組があれば、これを帯番組として登録することを特徴とする請求項１記載の録画予約装置。
【請求項５】
前記自動予約部は、番組情報を用いて、内容的重複が無いように、前記キーワードに対応する番組および前記帯番組と判定した番組について自動的に予約登録を行うことを特徴とする請求項１記載の録画予約装置。
【請求項６】
取得した番組表の任意の番組に関するキーワードを特定して、前記キーワードによる自動予約を設定し、
前記特定されたキーワードを前記番組表の中から検索し、これに対応する番組について、週のうち複数曜日について同一時間に放送予定の番組があれば、これを帯番組と判定し、
前記特定されたキーワードを前記番組表の中から検索して前記キーワードに対応する番組、および、前記帯番組と判定した番組について、自動的に予約登録を行うことを特徴とする録画予約方法。
【請求項７】
前記番組に付随する番組情報が、話数、題名がない番組であり、同一日に同一番組名であれば、予約登録を行なわないことを特徴とする請求項６記載の録画予約方法。
【請求項８】
前記番組に付随する番組情報が、話数、題名がない番組であり、異なる日に同一番組名であれば、予約登録を行うことを特徴とする請求項６記載の録画予約方法。
【請求項９】
１週間のうち５回、同一時間に前記番組と一部又は全体が同一の番組名があれば、これを帯番組として登録することを特徴とする請求項６記載の録画予約方法。
【発明の詳細な説明】
【技術分野】
【０００１】
この発明は、記録再生装置に用いられる、シリーズ番組の録画予約操作を行う録画予約装置及び録画予約方法に関し、特に、例えば、月曜日から金曜日の午後１時乃至２時等のような帯番組に対応する録画予約装置及び録画予約方法に関するものである。
【背景技術】
【０００２】
近年、ハードディスクドライブ（ＨＤＤ）、ＤＶＤ（デジタルバーサタイルディスク）などの記録媒体に関して記録容量の向上が得られ、これらの記録媒体を用いた記録再生装置では、多くの番組を予約録画可能となっている。
【０００３】
一方では、放送方式として、地上アナログ放送、地上デジタル放送、衛星アナログ放送、衛星デジタル放送など、各種の放送方式が実現化されている。このような環境の中にあって、同一内容の番組が異なる放送方式で放映されることもある。更には、同じ放送方式であっても異なる時間帯に、同一内容の番組が再放送されることもあり得る。
【０００４】
又、番組によっては、例えば、毎週日曜日の午後８時から、放送されるシリーズ番組の形態がある。シリーズ番組としては、連続ドラマ、又は同じ連続娯楽番組、アニメーション番組などがある。ユーザは、シリーズ番組に興味をもつとき、そのシリーズ録画を希望することがある。
【０００５】
シリーズ番組を録画する装置として、例えば特許文献１に記載されたものがある。この文献１では、番組ガイド表を利用した、番組録画予約が実行されたときに、同一タイトル等の番組をシリーズ番組として予約登録し録画を行なう放送信号受信記録システムである。
【特許文献１】特開２００１−２４５２４４
【発明の開示】
【発明が解決しようとする課題】
【０００６】
しかし、上述した特許文献１においては、話数が明記されている場合はよいが、話数が明記されておらず、再放送の明記もない場合、同一タイトルを再放送として録画を行なわないか、同一タイトルもシリーズものとして自動的に録画するしか方法がない。従って、不要な再放送を録画したり、同一タイトルながら毎日月曜から金曜までの定時刻に行なうような番組について、再放送と誤解して録画を行なわない等の不具合が生じる可能性がある。
【０００７】
本発明は、月曜日から金曜日の午後１時乃至２時等のような帯番組に対応する録画予約装置及び録画予約方法を提供することを目的とする。
【課題を解決するための手段】
【０００８】
課題を解決するための一実施形態は、取得した番組表の任意の番組に関するキーワードを特定して、前記キーワードによる自動予約を設定する設定部と、前記設定部により特定されたキーワードを前記番組表の中から検索し、これに対応する番組について、週のうち複数曜日について同一時間に放送予定の番組があれば、これを帯番組と判定する帯番組判定部と、前記設定部により特定されたキーワードを前記番組表の中から検索して前記キーワードに対応する番組、および、前記帯番組判定部が帯番組と判定した番組について、自動的に予約登録を行う自動予約部と、を具備することを特徴とする録画予約装置である。
【発明の効果】
【０００９】
月曜日から金曜日の午後１時乃至２時等のような帯番組を自動的に認識し、必要な番組を自動的に確実に録画するための録画予約装置及び録画予約方法を提供する。
【発明を実施するための最良の形態】
【００１０】
以下、図面を参照してこの発明の実施の形態を詳細に説明する。まずこの発明が適用される記録再生装置の概要を図１に示して説明する。
【００１１】
＜本発明に係る記録再生装置の一例＞
（構成）
図１では、記録媒体としてＤＶＤなどの光ディスクとハードディスクの双方を取り扱うことができる装置として示しているが、ハードディスク又はＤＶＤなどの光ディスクは例えば半導体メモリによる記録媒体などに置換されてもよい。
【００１２】
図１において、各ブロックを大きく分けると、左側には記録部の主なブロックを示し，右側には再生部の主なブロックを示している。
【００１３】
図１の記録再生装置は、ディスクドライブ部１００２と、ハードディスクドライブ部２００１の２種類のディスクドライブ部を有する。まず、ディスクドライブ部１００２は、ビデオファイルを構築できる情報記録媒体である第１のメディアとしての光ディスク１００１を回転駆動し、情報の読み書きを実行する。ディスクドライブ部１００２は、光ディスク１００１に対する回転制御系、レーザ駆動系、光学系などを有する。又、ハードディスクドライブ部２００１は、第２のメディアとしてのハードディスクを駆動する。
【００１４】
データプロセッサ部１００３は、ディスクドライブ部１００２及びハードディスクドライブ部２００１に記録データを供給することができ、又、再生された信号を受け取ることができる。ディスクドライブ部１００２は、光ディスク１００１に対する回転制御系、レーザ駆動系、光学系などを有する。
【００１５】
データプロセッサ部１００３は、記録又は再生単位のデータを取り扱うもので、バッファ回路、変調・復調回路、エラー訂正部などを含む。
【００１６】
又、図１の記録再生装置は、録画側を構成するエンコーダ部５０と、再生側を構成するデコーダ部６０と、装置本体の動作を制御するマイクロコンピュータブロック３０とを主たる構成要素としている。エンコーダ部５０は、トランスポートストリーム処理部及び複数のエンコーダを含む。
【００１７】
エンコーダ部５０は、基本的には入力されたアナログビデオ信号やアナログオーディオ信号をデジタル化するビデオ用及びオーディオ用のアナログデジタルコンバータと、ビデオエンコーダと、オーディオエンコーダとを有する。更に、副映像エンコーダも含む。
【００１８】
エンコーダ部５０からのエンコード出力は、バッファメモリを含むフォーマッタ５１にて所定のＤＶＤ-ＲＡＭのフォーマットに変換され、先のデータプロセッサ部１００３に供給される。
【００１９】
なおトランスポートストリームから抽出したパケットエレメンタリーストリームがエンコーダ部５０から直接ハードディスクドライブ部２００１のハードディスクに記録される場合もある。
【００２０】
エンコーダ部５０には、スイッチ５３を介して、ＡＶ入力部４１ａからの外部アナログビデオ信号と外部アナログオーディオ信号が入力することができる。又、エンコーダ部５０には、地上波アナログチューナ４１ｃ、地上波デジタルチューナ４１ｃ、衛星ＢＳ／ＣＳチューナ４１ｅ，衛星アナログチューナ４１ｅからの受信信号が選択的に入力することができる。又、エンコーダ部５０で複数のデコーダが活用される場合、地上波デジタルチューナ４１ｃで受信した番組がハードディスクドライブ部２００１で録画され、同時に、衛星ＢＳ／ＣＳチューナ４１ｄで受信した番組を視聴することも可能である。
【００２１】
なお、エンコーダ部５０は、圧縮されたデジタルビデオ信号やデジタルオーディオ信号が直接入力されるときは、圧縮デジタルビデオ信号やデジタルオーディオ信号を直接フォーマッタ５１に供給することもできる。又、エンコーダ部５０は、アナログデジタル変換されたデジタルビデオ信号やオーディオ信号を、ビデオミキシング部７１やオーディオセレクタ７６に直接供給することもできる。
【００２２】
エンコーダ部５０に含まれるＭＰＥＧビデオエンコーダでは、デジタルビデオ信号はＭＰＥＧ２又はＭＰＥＧ１規格に基づいた可変ビットレートで圧縮されたデジタルビデオ信号に変換される。デジタルオーディオ信号は、ＭＰＥＧ又はＡＣ−３規格に基づいて固定ビットレートで圧縮されたデジタルオーディオ信号、又はリニアＰＣＭのデジタルオーディオ信号に変換される。
【００２３】
副映像信号がＡＶ入力部４１から入力された場合（例えば副映像信号の独立出力端子付ＤＶＤビデオプレーヤからの信号など）、又はこのようなデータ構成のＤＶＤビデオ信号が放送されてそれがＴＶチューナ部４２で受信された場合は、ＤＶＤビデオ信号中の副映像信号が副映像エンコーダでエンコード（ランレングス符号化）されて副映像のビットマップとなる。
【００２４】
エンコードされたデジタルビデオ信号、デジタルオーディオ信号、副映像データは、フォーマッタ５１にてパック化され、ビデオパック、オーディオパック、副映像パックとなり、更にこれらが集合されて、ＤＶＤ-ビデオ規格で規定されたフォーマット（ＤＶＤ  Ｖｉｄｅｏフォーマット）や、ＤＶＤ-レコーディング規格で規定されたフォーマット（ＤＶＤ  ＶＲフォーマット）に変換される。フォーマッタ５１は、上記の変換処理のとき、バッファメモリ５２も利用している。
【００２５】
図１の装置は、フォーマッタ５１でフォーマット化された情報（ビデオ、オーディオ、副映像データなどのパック）及び作成された管理情報を、データプロセッサ部１００３を介してハードディスクドライブ部２００１又はデータディスクドライブ部１００２に供給し、ハードディスク又は光ディスク１００１に記録することができる。又、ハードディスク又は光ディスク１００１に記録された情報を、データプロセッサ部１００３、ディスクドライブ部１００２を介して光ディスク１００１又はハードディスクに記録することもできる。
【００２６】
又、ハードディスク又は光ディスク１００１に記録されている複数番組のビデオオブジェクトを、一部削除したり、異なる番組のオブジェクトをつなげたり、といった編集処理を行うこともできる。
【００２７】
マイクロコンピュータブロック３０は、ＭＰＵ（マイクロプロセッシングユニット）、又はＣＰＵ（セントラルプロセッシングユニット）と、制御プログラム等が書きこまれたＲＯＭと、プログラム実行に必要なワークエリアを提供するためのＲＡＭとを含んでいる。マイクロコンピュータブロック３０は、ネットワークインターフェース３０ａを介して、外部ネットワークに接続することが可能である。これにより、外部のサーバーから電子番組案内情報（ＤＥＰＧ：Dynamic Electronic Program Guide）を取り込むことも可能である。
【００２８】
更にマイクロコンピュータブロック３０のＭＰＵは、そのＲＯＭに格納された制御プログラムに従い、ＲＡＭをワークエリアとして用いて、欠陥場所検出、未記録領域検出、録画情報記録位置設定、ＵＤＦ記録、ＡＶアドレス設定などを実行する。
【００２９】
又、マイクロコンピュータブロック３０は、装置の各ブロックを統括して制御するために必要な情報処理部を有するもので、ワークＲＡＭ３１、ディレクトリ検出部３２、ＶＭＧ（全体のビデオ管理情報）情報作成部、コピー関連情報検知部、コピー及びスクランブリング情報処理部（ＲＤＩ処理部）、パケットヘッダ処理部、シーケンスヘッダ処理部、アスペクト比情報処理部などを備える。
【００３０】
又、マイクロコンピュータブロック３０は、録画を実行する際の管理情報の制御部３４と、編集を実行する際の管理情報の制御部３３をも備える。
【００３１】
更に、マイクロコンピュータブロック３０には、シリーズ番組予約・録画制御部３５、ＧＵＩ（グラフィックユーザインターフェース）画面制御部３６が設けられている。又、ネットワークＩ／Ｆ３０ａや地上波アナログチューナ４１ｂ、地上波デジタルチューナ４１ｃ等を介して、電子番組表を取得する番組表取得部３７と、本発明の一実施形態である、帯番組を判定しこれに応じて予約処理を行ない更に予約処理を行なう番組判定部３９が示されている。このシリーズ番組予約・録画制御部３５、ＧＵＩ（グラフィックユーザインターフェース）画面制御部３６及び番組判定部３９の動作については、更にあとで詳しく説明することにする。
【００３２】
ＭＰＵの実行結果のうち、ユーザに通知すべき内容は、映像データ記録再生装置の表示部４３に表示されるか、又はモニターディスプレイにＯＳＤ（オンスクリーンディスプレイ）表示される。
【００３３】
又、マイクロコンピュータブロック３０は、この装置を操作するための操作信号を与えるキー入力部４４を有する。このキー入力部４４は、例えば記録再生装置の本体上に設けた操作スイッチ類や、又はリモートコントローラなどに相当する。又、記録再生装置と有線通信又は無線通信又は光通信や赤外線通信などの手段を用いて接続されたパーソナルコンピュータであってもよい。いずれの形態であるにせよ、ユーザがこのキー入力部４４を操作することにより、入力された映像音声信号の録画処理や、録画されたコンテンツの再生処理、又は録画されたコンテンツに対する編集処理などを施すことができる。
【００３４】
なお、マイクロコンピュータブロック３０が、ディスクドライブ部１００２、ハードディスクドライブ部２００１、データプロセッサ部１００３、エンコーダ部５０及び／又はデコーダ部６０などを制御するタイミングは、ＳＴＣ（システムタイムクロック）３８からの時間データに基づいて実行することができる。録画や再生の動作は、通常はＳＴＣ３８からのタイムクロックに同期して実行されるが、それ以外の処理はＳＴＣ３８とは独立したタイミングで実行されてもよい。
【００３５】
デコーダ部６０は、パック構造を持つＤＶＤフォーマットの信号から各パックを分離して取り出すセパレータと、パック分離やその他の信号処理実行時に使用するメモリと、セパレータで分離された主映像データ（ビデオパックの内容）をデコードするＶデコーダと、セパレータで分離された副映像データ（副映像パックの内容）をデコードするＳＰデコーダと、セパレータで分離されたオーディオデータ（オーディオパックの内容）をデコードするＡデコーダとを有する。又、デコードされた主映像にデコードされた副映像を適宜合成し、主映像にメニュー、ハイライトボタン、字幕やその他の副映像を重ねて出力するビデオプロセッサを備えている。
【００３６】
デコーダ部６０の出力ビデオ信号は、ビデオミキシング部７１に入力される。ビデオミキシング部７１では、例えばテキストデータの合成が行われる。又、ビデオミキシング部７１には、ＴＶチューナやＡＶ入力部４１aからの信号を直接取り込むラインも又接続されている。ビデオミキシング部７１には、バッファとして用いるフレームメモリ７２が接続されている。ビデオミキシング部７１の出力がアナログ出力の場合はＩ／Ｆ（インタフェース）７３を介して外部出力され、デジタル出力の場合はデジタルアナログ変換器７４を介して外部へ出力される。
【００３７】
デコーダ部６０の出力オーディオ信号は、セレクタ７６を介してデジタルアナログ変換器７７でアナログ変換され外部に出力される。セレクタ７６は、マイクロコンピュータブロック３０からのセレクト信号により制御される。これによりセレクタ７６は、ＴＶチューナやＡＶ入力部４１aからのデジタル信号を直接モニタする時、エンコーダ部５０をスルーした信号を直接選択することも可能である。
【００３８】
なお、エンコーダ部５０のフォーマッタでは、録画中、各切り分け情報を作成し、定期的にマイクロコンピュータブロック３０のＭＰＵへ送る（ＧＯＰ先頭割り込み時などの情報）。切り分け情報としては、ＶＯＢＵのパック数、ＶＯＢＵ先頭からのIピクチャのエンドアドレス、ＶＯＢＵの再生時間などである。
【００３９】
同時に、アスペクト情報処理部からの情報を録画開始時にＭＰＵへ送り、ＭＰＵはＶＯＢストリーム情報（ＳＴＩ）を作成する。ここでＳＴＩは、解像度データ、アスペクトデータなどを保存し、再生時、各デコーダ部ではこの情報を元に初期設定が行われる。
【００４０】
又、本装置では、ＤＶＤに記録するビデオファイルは１ディスクに１ファイルとしている。又、データをアクセス（シーク）している間に、途切れないで再生を続けるために、最低限連続する情報単位（サイズ）を決めている。この単位をＣＤＡ（コンティギュアス・データ・エリア）という。ＣＤＡサイズは、ＥＣＣ（エラー訂正コード）ブロック（１６セクタ）の倍数であり、ファイルシステムではこのＣＤＡ単位で記録を行っている。
【００４１】
データプロセッサ部１００３は、エンコーダ部５０のフォーマッタからＶＯＢＵ単位のデータを受け取り、ＣＤＡ単位のデータをディスクドライブ部１００２又はハードディスクドライブ部２００１に供給している。又、マイクロコンピュータブロック３０のＭＰＵは、記録したデータを再生するのに必要な管理情報を作成し、データ記録終了のコマンドを認識すると、作成した管理情報をデータプロセッサ部１００３に送る。これにより、管理情報がディスクに記録される。従って、エンコードが行われているとき、エンコーダ部５０からマイクロコンピュータブロック３０のＭＰＵは、データ単位の情報（切り分け情報など）を受け取る。又、マイクロコンピュータブロック３０のＭＰＵは、記録開始時には光ディスク及びハードディスクから読み取った管理情報（ファイルシステム）を認識し、各ディスクの未記録エリアを認識し、データ上の記録エリアをデータプロセッサ部１００３を介してディスクに設定している。
【００４２】
図２には、リモートコントローラ２０の概観を示している。主な操作キーとして、電源をオンオフするための電源キー２０ａ、トップメニュー画面を表示させるためのトップメニューキー２０ｂが示されている。メニューキー２０ｃは、例えばＤＶＤなどの媒体に記録されているメニューを表示させときに操作する操作キーである。更に、決定キー２０ＤＥ、カーソルをそれぞれ上、下、右、左に移動させるためのカーソル操作キー２０ＵＰ，２０ＤＷ，２０Ｒ，２０Ｌが示されている。
【００４３】
（番組ナビゲーション画面）
次に、本装置におけるシリーズ予約に関する特徴的な操作画面と動作について説明する。トップメニューキー２０ｂが操作されると、画面制御部３６の制御の元で、図３に示すような案内画面１０１がモニタ３００１に表示される。
【００４４】
図３の画面１０１には、項目として「番組表」、「録画予約一覧」、「Ｍｙジャンル番組リスト」、「おすすめサービス」、「お気に入り番組リスト」、「シリーズ番組リスト」などが表示される。
【００４５】
図３の画面１０１において、リモートコントローラ２０のカーソルキーを操作して、例えば、「番組表」を選択し、決定キー２０ＤＥを押すと、図４に示すような画面１０２となる。図４の画面では、放送日、時間帯、番組が放送される放送方式及びチャンネル、各時間帯の番組名のリストが表示される。
【００４６】
図４の画面１０２から更に移行できる画面について説明する。図４の画面１０２において、今、リモートコントローラ２０のカーソルキーを操作して、例えば、「世界の社食から」と言う番組題名を選択し、決定キー２０ＤＥを押したとする。すると、図５に示すような録画予約画面１０３に移行する。
【００４７】
図５の録画予約画面１０３では、予約番組に関する番組名、放送時間などが表示される。ここで録画予約画面１０３では、「シリーズ予約」を設定するかどうかの項目８０ａ、「予約キャンセル」の項目８０ｂ、が表示される。
【００４８】
ここでユーザが、リモートコントローラ２０のカーソルキーを操作して、例えば、「シリーズ予約」と言う項目８０ａを選択し、決定キー２０ＤＥを押したとする。すると、図６に示すような、録画予約の「命名」を行なうための画面１０４に移行する。ここでは、未設定の領域と、すでに命名されている予約名称が表示される。この画面１０４では、「お気に入りセット１」、「お気に入りセット２」、「お気に入りセット３」、シリーズ予約として「シリーズ予約３」、「シリーズ予約２」がある。
【００４９】
ここで、ユーザが、例えば、未設定部をカーソルにより選択して、決定キー２０ＤＥを押したとする。すると、図７に示すように、予約番組の番組名の複数部分がキーワードとして自動的に設定される。ここでは、“世界の社食から”がキーワードとして設定されている。これは番組名の情報がそのまま転送されてくる。
【００５０】
勿論、時間帯及びチャンネルなどの設定情報が表示される。又、キーワードとしては、番組名の中に“含まる”キーワード、“含まない”キーワードを設定することができる。ここでは、“世界の社食”が“含まれる”キーワードとして設定し、“から”を“含まない”キーワードとして設定することも可能であり、キーワードの修正は可能である。
【００５１】
図３の画面１０１に戻る。ここで、リモートコントローラ２０のカーソルキーを操作して、例えば、「録画予約一覧」を選択し、決定キー２０ＤＥを押すと、図８に示すような画面１０６となる。図８の画面では、いままでに録画予約している番組の録画予約テーブルの情報が表示される。ここでは、「番組名」、「シリーズ予約」しているか否か、放送方式及びチャンネル、予約日時などが記載されている。
【００５２】
図３の画面１０１に再度戻る。ここで、リモートコントローラ２０のカーソルキーを操作して、例えば、「シリーズ番組リスト」を選択し、決定キー２０ＤＥを押すと、図９に示すような画面１０７となる。図９の画面では、シリーズ予約１、シリーズ予約２などのように、シリーズ予約が幾つあるのかを示す画面１０７となる。この図９の画面１０７では、シリーズ予約が３つ存在することが分かる。ここで、例えば「シリーズ予約１」の位置に、リモートコントローラ２０を操作してカーソルを合わせて、決定キー２０ＤＥを押すと、図１０に示すような画面１０８となる。この画面では、シリーズ予約１の番組名、予約日時、曜日、記録媒体などがテーブル情報として表示される。ここでは、シリーズ１のキーワードに対応したものがテーブルとして表示される。
【００５３】
録画予約を行う場合には、番組表取得部３７を用いて、放送波に重畳されてくるデジタルデータ又はインターネットを介して送られてくるデータから抽出された電子番組情報が利用される。
【００５４】
ここで、番組内容は、「番組名」＋「番組説明／番組概要」、或いは、「予約名」＋「番組説明」、或いは「タイトル名」＋「番組説明」を含む。「番組名」＋「番組説明／番組概要」は、番組表から得ることができる。又、「予約名」＋「番組説明」は、予約一覧の情報に含まれている。又、「タイトル名」＋「番組説明」は、録画結果の情報に含まれている。
【００５５】
「番組名」は、「予約名」、「タイトル名」に対応する。「番組名」の情報は、更に「マーク」＋「シリーズ名」＋「和数」＋「題名」を含む。「マーク」は、本放送であるのか、再放送であるのかを示す。又、シリーズ名は、大抵の場合は、常に同じ名称（例えば世界の社食から）が用いられる。又、「和数」は、第１話、第２話、第３話、…（或いは第１弾、第２弾、…）である。又、「題名」としては、例えばヨーロッパ編、アジア編、アフリカ編、南アメリカ編などである。
【００５６】
又、図１２においては、これらの案内画面１０１乃至１０８の動作遷移の一例が示されている。
【００５７】
（予約動作の概要）
次に図１１には、上記したシリーズ番組予約・録画制御部３５による動作例を示している。
【００５８】
太い線で囲む部分のステップＳ１，Ｓ３，Ｓ７は、画面制御部３６を介してモニタ３００１に表示される内容が処理されるステップである。又、点線で囲むステップＳ５，Ｓ９は、ユーザは画面上で見ることはできないが、制御部３５の制御のもとで、メモリに記憶されている内容が参照されて処理されるステップである。又、四角で囲むステップＳ４，Ｓ６，Ｓ８は、装置内部でデータ処理が行われるステップである。ステップＳ１は、図４の画面に対応する。ステップＳ３は、図１０の画面に対応する。又、ステップＳ７は、図８の画面に対応する。
【００５９】
ステップ２は、シリーズ予約がされたときに、予約条件（キーワード等）に合致する番組を検索するステップである。ステップ４は、予約一覧のテーブルに記載されている番組情報に無く、又、過去の予約録画成功した番組情報にも無い、番組情報を検索し、判定するステップである。つまり、ここでは、同一シリーズの番組であるが、第１話、第２話、第３話、…と続くような番組であり、最も新しくて、番組内容が異なる番組を判定することになる。ここで、ユーザにとって新規であるとして判定された番組が検索されたとき、その既に予約されている番組の内容と内容の重複がないかどうかを判断するステップが次のステップＳ５である。つまりＳ５では、検索された番組が再放送の番組であるかどうかを判定できることになる。放送時間帯が異なっても、既に録画されているドラマの第２話が再放送されることもあるので、このような番組は予約されない。
【００６０】
このように、本放送の番組が予約されているのに、再放送の番組をシリーズ予約しては、無駄になるので、ステップ５の結果を用いて、ステップＳ６において、内容的に重複が無いように予約情報を設定する。ステップＳ８においては、予約録画が成功したかどうかが判定され、成功した場合には、ステップＳ９において、過去の予約録画成功番組の情報がメモリ或いはディスクに保存される。この情報は、できるだけ多いほうがよいが、無制限ではなく、ある程度の保存容量になった場合には、過去の情報から削除される。
【００６１】
（予約動作の詳細）
図１３には、シリーズ予約が行なわれるときの処理フローを示している。この動作は、シリーズ番組予約・録画制御部３５内における各制御ユニットの結合で実現される。ユーザは、シリーズ予約のために図３の画面１０１中の「番組表」を選択し、リモコンの決定キーを押す（ステップＳＡ１）。すると、電子番組案内情報から作成された図４の番組表が画面１０２で表示されるので、ユーザは、所望の番組の領域をカーソルで選択する。そして決定キーを押す（ステップＳＡ２）。すると、図５に示した予約設定画面１０３が現れる（ステップＳＡ３）。
【００６２】
ここで、画面上の「登録」の位置にカーソルを合わせて、決定キーを押すと、選択した番組の番組情報が登録され、録画予約が行なわれる（ステップＳＡ６）。しかし、ここで、画面上の「シリーズ予約」の位置にカーソルを合わせて、決定キーを押すと、まず、表示上の番組情報（番組表上で選択した番組に対応する情報）がまず自動的に登録される（ステップＳＡ５、ＳＡ７）。これは、ユーザが自ら選択した番組は、重要であり、シリーズ番組であることが明白であるからである。
【００６３】
次に、図６の録画設定一覧の表示画面１０４が表示され、ユーザは、シリーズ名を設定することができる。そしてシリーズ名が設定された後（ステップＳＡ８）、図７に示される表示画面１０５にて、おまかせ自動録画設定に移行する。ここでは、シリーズ予約を行なう番組情報をサーチする条件（キーワード、画質、優先度など）が自動的に、キーワード枠に入力される（ステップＳＡ９）。なお、ここでユーザは、「世界の社食から」等の語句を適宜、分割し編集して、他の枠に分離する等し、サーチ条件を最終決定することも好適である。
【００６４】
次に図８の表示画面１０６において、「設定完了」の位置にカーソルがあわせられ、決定キーが押されると、シリーズ予約情報が設定される（ステップＳＡ１０、ＳＡ１１）。このシリーズ予約情報は、番組表の番組情報と比較され、条件に合致する番組（同シリーズの番組）が検索される。そして、優先順位に従って、予約登録が実行される（ステップＳＡ１２）。
【００６５】
すなわち、ユーザがキー２０ＤＥを押すことで、又は自動的に、図１０に示すような検索結果画面１０８となる。この画面では、シリーズ予約１の番組名、予約日時、曜日、記録媒体などがテーブル情報として表示される。ここでは、シリーズ１のキーワードに対応したものがテーブルとして表示される。
【００６６】
録画予約を行う場合には、放送波に重畳されてくるデジタルデータ又はインターネットを介して送られてくるデータから抽出された電子番組情報が利用される。
【００６７】
ここで、番組内容は、「番組名」＋「番組説明／番組概要」、或いは、「予約名」＋「番組説明」、或いは「タイトル名」＋「番組説明」を含む。「番組名」＋「番組説明／番組概要」は、番組表から得ることができる。又、「予約名」＋「番組説明」は、予約一覧の情報に含まれている。又、「タイトル名」＋「番組説明」は、録画結果の情報に含まれている。
【００６８】
「番組名」は、「予約名」、「タイトル名」に対応する。「番組名」の情報は、更に「マーク」＋「シリーズ名」＋「和数」＋「題名」を含む。「マーク」は、本放送であるのか、再放送であるのかを示す。又、シリーズ名は、大抵の場合は、常に同じ名称（例えば世界の社食から）が用いられる。又、「和数」は、第１話、第２話、第３話、…（或いは第１弾、第２弾、…）である。又、「題名」としては、例えばヨーロッパ編、アジア編、アフリカ編、南アメリカ編などである。
【００６９】
又、図１２においては、これらの案内画面１０１乃至１０８の動作遷移の一例が示されている。
【００７０】
・検索上の不具合
ここで、図１０の検索結果画面において、８つの番組名Ｐ１乃至Ｐ８は、「世界の社食から」として完全に同一である。又、ここで、「話数」や「題名」がないため、再放送なのか、異なる放送なのかの判断ができない。従って、「話数」や「題名」がなく番組名が完全に同一のときに再放送扱いをした場合、番組名Ｐ２乃至Ｐ８が全てが再放送扱いとなってしまい、録画しないという扱いとなる。
【００７１】
ここで、録画したい番組は、番組名Ｐ１、Ｐ３，Ｐ５，Ｐ７，Ｐ８である。録画したくない再放送の番組は、番組名Ｐ２、Ｐ４，Ｐ６である。このように番組名からの判断では、再放送とオリジナル放送との区別をつけることができないという不具合がある。このような不具合に対して、本実施形態では、以下に示すような「帯番組」の概念を用いて、この二つを自動的に区別して、最適なシリーズ録画の予約処理を行なうものである。
【００７２】
（帯番組に応じた処理）
本実施形態においては、図１のマイクロコンピュータブロック３０中の帯番組判定部３９は、図１６の番組表１０９に示すような「帯番組」の存在を判定するものである。ここで「帯番組」とは、図１６の番組表１０９中の番組１２１のような番組であり、１週間のうち例えば、月曜日から金曜日について一定の時間帯で放送されている放送をいう。
【００７３】
ここで、帯番組判定部３９は、図１１のフローチャートのステップＳ６において、又、図１３のステップＳＡ１２において、帯番組の識別処理も含めて、シリーズ番組登録を行なうものである。
【００７４】
次に、この帯番組の識別処理を含めたシリーズ録画の予約登録処理を更に詳細にフローチャートを用いて説明する。図１４のフローチャートは、図１３のステップＳＡ１２を更に詳細に説明したものである。又、図１５のフローチャートは、図１４のフローチャートのＳ１４の「該当番組は帯番組か」という判断工程を更に詳細に説明したフローチャートである。
【００７５】
図１４において、シリーズ番組予約・録画制御部３５は、シリーズ録画のキーワードを取得して（ステップＳ１０）、このキーワードにて番組表を検索しヒットした数を、シリーズ予約候補数として記憶領域ｈｉｔに保存する（ステップＳ１１）。図１０の検索結果だと、ヒット数ｈｉｔ＝８となる。シリーズ予約候補番組が存在する（ｈｉｔ≠０）場合、図１０の検索結果の番組が既に録画済の番組であるかどうかが判断される（ステップＳ１３）。ここでの録画済かどうかという判断は、一例として、検索した番組名が予約に入っている番組名と全く同一かどうか、更に、過去に録画済みの番組名と全く同一かどうかにより行なっている。従って、番組名のみが同一の場合、番組名と話数とがそれぞれ同一の場合、番組名、題名がそれぞれ同一の場合等が該当する。
【００７６】
ステップＳ１３で同一ではないと判断されると、ステップＳ１５において、該当番組を録画予約として登録するものである（ステップＳ１５）。そして、ヒット数ｈｉｔの値から“１”を引いて（ステップＳ１６）、ステップＳ１２に戻る。
【００７７】
又、ステップＳ１３で、録画済みでないと判断された場合、該当番組は、帯番組かどうかが判断される（ステップＳ１４）。帯番組であるかどうかの判断は、後述する。帯番組であれば、該当番組を録画予約として登録し（ステップＳ１５）、ｈｉｔの値から“１”を引いて（ステップＳ１６）、次の予約候補番組の判断を行うためにステップＳ１２に戻る。このような処理を検索された番組の全てについて順番に行なうものである（ステップＳ１２）。
【００７８】
・帯番組の判断
ここで、ステップＳ１４の帯番組の判断について、図１５のフローチャートを用いて詳述する。「帯番組」とは、図１６の案内画面１０９の帯番組１２１のように、１週間の内、３日乃至５日又は５日以上について、同一又はこれに近い時間に放送されるシリーズ放送であるといえる。すなわち、「世界の社食から」は、月曜日乃至金曜日において、２２時３０分乃至２３時００分の時間に放送される「帯番組」であると言える。
【００７９】
この帯番組か否かの処理は、帯番組判断部３９において、図１５のフローチャートに示すような手順で判断される。初めに、該当番組出現数ｍａｔｃｈと、日付カウンタｎと、注目開始時刻ＳｔａｒｔＴｉｍｅと、注目終了時刻ＥｎｄＴｉｍｅとのパラメータを用意する。ここで、該当番組出現数ｍａｔｃｈは、番組表中に該当番組がいくつ見つかったかを示す値、日付カウンタｎは、現在の日付からｎ日先の番組表を用いて注目しているかを表す値、注目開始時刻ＳｔａｒｔＴｉｍｅは、帯番組が開始する時刻、注目終了時刻ＥｎｄＴｉｍｅは、帯番組が終了する時刻である。
【００８０】
初めに、該当番組出現数ｍａｔｃｈ＝０、日付カウンタｎ＝１、注目開始時刻ＳｔａｒｔＴｉｍｅを該当番組の開始時間とし、注目終了時刻ＥｎｄＴｉｍｅを該当番組の終了時間として設定する（ステップＳ２１）。そして、ｎ日先の番組表からＳｔａｒｔＴｉｍｅ−ＥｎｄＴｉｍｅに存在する番組タイトルを取得する（ステップＳ２２）。更に、この番組タイトルが検索先の番組タイトルと同一かどうかを判断する。同一でなければステップＳ２５に飛び、同一となれば、ｍａｔｃｈ＝ｍａｔｃｈ＋１として（ステップＳ２４）、カウントアップする。
【００８１】
次にｎ≦７でなければ、まだ１週間分の判断が終わっていないと考えステップＳ２２に戻る。ｎ≦７であれば、既に１週間分の判断が終わったと考えステップＳ２６に飛ぶ。
【００８２】
ステップＳ２６では、該当番組出現数ｍａｔｃｈ≧５であるかどうかを判断し、イエスであれば、該当番組を帯番組と判定する（ステップＳ２７）。すなわち、検索条件のタイトルの番組が該当の時間帯において、１週間に５件見つかったこととなり、帯番組と判定されたわけである。
【００８３】
もしこのような番組が見つからなければ、ステップＳ２６でノーとして、該当番組を帯番組ではないと判定する（ステップＳ２８）。
【００８４】
なお、ここで、帯番組判定部３９では、番組数ｎを必ずしも“５”にせず、“３”又は“４” 又は“６”であることも好適であると考える。
【００８５】
以上のように帯番組判定部３９において検索結果の番組名について、帯番組か否かを判断することにより、録画したくない再放送や関連放送の自動録画予約を回避し、録画が必要な帯番組上の番組を自動的に録画予約するものである。これにより、月曜日乃至金曜日の所定時間に放映される帯番組のシリーズ録画のための録画予約を自動的に容易に行なうことが可能となるものである。
【００８６】
又、シリーズ番組予約録画制御部３５が、帯番組判定部３９の判定結果に対応して処理を行なうかどうかは、ユーザが任意に設定するという設計にすることも可能である。この場合、ユーザは、帯番組処理を設定により回避することも可能となる。
【００８７】
（他の番組判定処理）
次に、他の番組情報の判定処理を図１７のフローチャートを用いて説明する。この判定処理は、番組情報が録画済であるかどうかを判定する処理方法であり、上記した帯番組判定処理とは独立して用いることができる判定処理である。しかしながら、この判定処理は、上記した帯番組判定処理と併用して用いることも可能である。
【００８８】
すなわち、図１７のフローチャートにおいて、その番組情報に「話数」、「題名」がない番組であり、録画済番組と同一の番組名であれば（ステップＳ３１）、更に、録画済番組と同一日であるかどうかが問われる（ステップＳ３２）。ここで、同一日であれば、同一番組として録画済と判断するものである（ステップＳ３３）。
【００８９】
ステップＳ３２で録画済み番組と同一日ではなく、録画済み番組がまだ存在すれば、ステップＳ３１から処理が繰り返される（ステップＳ３４）。その番組情報と録画済み番組との比較処理がなされれば、次に予約済み番組と同一の番組名であるかどうかが問われる（ステップＳ３５）。ここで同一名であり、更に、予約済番組と同一日かどうかが判断され（ステップＳ３６）、同一日であれば、同一番組として録画済み（予約済み）と判断するものである（ステップＳ３７）。
【００９０】
ステップＳ３６で同一日でないと判断すると、予約済み番組が存在する限り比較処理を続行し（ステップＳ３８）、予約済み番組がなくなれば、その番組情報は、録画済みではない（予約の予定もない）と判断される（ステップＳ３９）。
【００９１】
従って、このフローチャートが示す判断処理により、シリーズ番組予約録画制御部３５の設定により、『番組情報に「話数」、「題名」がない番組であり、同一日に、同一番組名である番組』は、再放送と判断して予約録画を行なわないという処理が行なわれる。又、同様に、『番組情報に「話数」、「題名」がない番組であり、異なる日に、同一番組名である番組』は、非再放送と判断して予約録画を行なうという処理が行なわれるものである。これは、現実の再放送の設けられ方に対応した処理方法である。
【００９２】
以上記載した様々な実施形態により、当業者は本発明を実現することができるが、この発明は、上記実施形態そのままに限定されるものではなく、実施段階ではその要旨を逸脱しない範囲で構成要素を変形して具体化できる。又、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せることも可能である。
【図面の簡単な説明】
【００９３】
【図１】本発明の一実施形態に係る記録再生装置の構成の一例を示すブロック図。
【図２】本発明の一実施形態に係る記録再生装置のリモートコントローラの一例を示す外観図。
【図３】本発明の一実施形態に係る記録再生装置の番組ナビのメインメニュー画面の一例を示す説明図。
【図４】本発明の一実施形態に係る記録再生装置の番組ナビの全チャンネル一覧の一例を示す説明図。
【図５】本発明の一実施形態に係る記録再生装置の番組ナビの録画予約の一例を示す説明図。
【図６】本発明の一実施形態に係る記録再生装置の番組ナビのおまかせ自動録画設定一覧の一例を示す説明図。
【図７】本発明の一実施形態に係る記録再生装置の番組ナビのおまかせ自動録画設定一覧の一例を示す説明図。
【図８】本発明の一実施形態に係る記録再生装置の番組ナビの録画予約一覧の一例を示す説明図。
【図９】本発明の一実施形態に係る記録再生装置の番組ナビのメインメニューの一例を示す説明図。
【図１０】本発明の一実施形態に係る記録再生装置の番組ナビのシリーズ番組リストの一例を示す説明図。
【図１１】本発明の一実施形態に係る記録再生装置のシリーズ予約処理の動作の一例を説明するフローチャート。
【図１２】本発明の一実施形態に係る記録再生装置の番組ナビの画面の遷移の一例を示す説明図。
【図１３】本発明の一実施形態に係る記録再生装置の帯番組を考慮した予約録画処理の一例を示すフローチャート。
【図１４】本発明の一実施形態に係る記録再生装置の帯番組を考慮した予約録画処理の一例を示すフローチャート。
【図１５】本発明の一実施形態に係る記録再生装置の帯番組の判定方法の一例を示すフローチャート。
【図１６】本発明の一実施形態に係る記録再生装置が扱う帯番組を示す番組ナビの画面の一例を示す説明図。
【図１７】本発明の一実施形態に係る記録再生装置の番組判定の一例を示すフローチャート。
【符号の説明】
【００９４】
３０…マイクロコンピュータブロック、３５…シリーズ番組予約・録画制御部、３６…ＧＵＩ画面制御部、４１ａ，４１ｂ，４１ｃ，４１ｄ，４１ｅ…チューナ，３００１…モニタ。
【図１】
0004599263.tif 000002
【図２】
0004599263.tif 000003
【図３】
0004599263.tif 000004
【図４】
0004599263.tif 000005
【図５】
0004599263.tif 000006
【図６】
0004599263.tif 000007
【図７】
0004599263.tif 000008
【図８】
0004599263.tif 000009
【図９】
0004599263.tif 000010
【図１０】
0004599263.tif 000011
【図１１】
0004599263.tif 000012
【図１２】
0004599263.tif 000013
【図１３】
0004599263.tif 000014
【図１４】
0004599263.tif 000015
【図１５】
0004599263.tif 000016
【図１６】
0004599263.tif 000017
【図１７】
0004599263.tif 000018